(57)【要約】【課題】  パスワードが見破られて悪用されることがないようにするため、場面毎に異なるパスワードを使用させる習慣を徹底させるべく、パスワードの作成や想起が楽に行えるような手段を提供する。【解決手段】  この発明の新しいパスワード管理のやり方は、パスワードを生成し、写真を撮影し、前記パスワードとこれが何に付いてのパスワードであるかを想起させるための前記写真とを関連付けて記録し、この記録した情報を出力する、と言うものである。【選択図】図１
2006344205.tif 000002
【特許請求の範囲】
【請求項１】
パスワード作成要求に基づいてパスワードを生成し、イメージを取得し、このイメージと前記パスワードとを関連付けて記録し、パスワード出力要求に基づいて前記記録したイメージとパスワードとを出力する、パスワード管理方法。
【請求項２】
前記イメージを選択可能に提示して、このイメージが選択されたらこれに関連するパスワードを出力する、請求項１に記載のパスワード管理方法。
【請求項３】
前記選択可能に提示する際のイメージがサムネイル画像である、請求項２に記載のパスワード管理方法。
【請求項４】
前記イメージの取得が写真の撮影によるものである、請求項１に記載のパスワード管理方法。
【請求項５】
前記イメージの取得が画面キャプチャによるものである、請求項１に記載のパスワード管理方法。
【請求項６】
前記パスワードの生成が乱数発生によるものである、請求項１に記載のパスワード管理方法。
【請求項７】
前記パスワードの生成がパスワード表からの取得によるものである、請求項１に記載のパスワード管理方法。
【請求項８】
前記パスワードの生成が入力装置からの入力によるものである、請求項１に記載のパスワード管理方法。
【請求項９】
イメージの取得をトリガーとしてパスワードを生成するか、またはパスワードの生成をトリガーとしてイメージを取得するようにした、請求項１に記載のパスワード管理方法。
【請求項１０】
前記パスワードの出力が表示装置による表示である、請求項１に記載のパスワード管理方法。
【請求項１１】
前記パスワードの出力が送信装置による送信である、請求項１に記載のパスワード管理方法。
【請求項１２】
写真を撮影し、この写真の撮影をトリガーとして乱数を発生してパスワードを生成し、このパスワードと前記写真とを関連付けて記録し、この写真をサムネイル画像として選択可能に提示し、このサムネイル画像が選択されたらこのサムネイル画像に相当する写真とこの写真に関連付けられたパスワードとを表示する、パスワード管理方法。
【請求項１３】
写真を撮影し、パスワードを受け付け、このパスワードと前記写真とを関連付けて記録し、この写真をサムネイル画像として選択可能に提示し、このサムネイル画像が選択されたらこのサムネイル画像に相当する写真とこの写真に関連付けられたパスワードとを表示する、パスワード管理方法。
【請求項１４】
パスワードを生成するためのパスワード生成装置と、イメージを取得するためのイメージ取得装置と、このイメージ取得装置によって取得したイメージと前記パスワード生成装置によって生成したパスワードとを関連付けて記録するための記憶装置と、この記憶装置に記録した情報の出力装置と、これ等の装置を制御する制御装置と、を有するパスワード管理装置。
【請求項１５】
前記イメージを選択可能に提示するための表示装置を備え、このイメージが選択されたらこれに関連するパスワードを前記記憶装置から読み出して前記出力装置へ出力する、請求項１４に記載のパスワード管理装置。
【請求項１６】
前記イメージ取得装置が写真を撮影するための撮影装置である、請求項１４に記載のパスワード管理装置。
【請求項１７】
前記イメージ取得装置が表示画面をキャプチャするためのキャプチャ装置である、請求項１４に記載のパスワード管理装置。
【請求項１８】
前記パスワード生成装置が乱数発生装置である、請求項１４に記載のパスワード管理装置。
【請求項１９】
前記パスワード生成装置が、パスワード表を備えてこのパスワード表からパスワードを取得するものである、請求項１４に記載のパスワード管理装置。
【請求項２０】
前記パスワードの生成装置が、ユーザーからのパスワードの入力を受け付ける入力装置である、請求項１４に記載のパスワード管理装置。
【請求項２１】
前記出力装置がパスワードの表示を行なう表示装置である、請求項１４に記載のパスワード管理装置。
【請求項２２】
前記出力装置がパスワードの送信を行なう送信装置である、請求項１４に記載のパスワード管理装置。
【請求項２３】
このパスワード管理装置のユーザーを撮影するための撮影装置とその画像を表示するための表示装置とを有している、請求項１４に記載のパスワード管理装置。
【請求項２４】
このパスワード管理装置のユーザーを写すためのミラーを有している、請求項１４に記載のパスワード管理装置。
【請求項２５】
サーバとこのサーバに接続される端末装置とから構成されるパスワード管理システムであって、当該システムはパスワードを生成するためのパスワード生成手段と、イメージを取得するためのイメージ取得手段と、前記パスワード生成手段により生成したパスワードと前記イメージ取得手段によって取得したイメージとを関連付けて記録するための記憶装置とを備え、端末装置は前記記憶装置に記録した情報を出力する出力手段を有している、パスワード管理システム。
【請求項２６】
サーバとこのサーバに接続される端末装置とから構成されるパスワード管理システムであって、当該システムはパスワードを生成するためのパスワード生成手段と、イメージを取得するためのイメージ取得手段と、前記パスワード生成手段により生成したパスワードと前記イメージ取得手段によって取得したイメージとを関連付けて記録するための記憶装置と、前記パスワード生成手段によって生成したパスワードをパスワード認証手段へ通知するためのパスワード通知手段を備え、端末装置は前記記憶装置に記録した情報を出力する出力手段を有している、パスワード管理システム。
【請求項２７】
端末装置は前記イメージを選択可能に提示するための表示装置を備え、このイメージが選択されたらこれに関連するパスワードを前記記憶装置から読み出して前記出力手段により出力する、請求項２５または請求項２６に記載のパスワード管理システム。
【請求項２８】
前記イメージを複数のパスワード認証手段に一対一対応させて前記記憶装置に記録しておき、端末装置は前記イメージを選択可能に提示するための表示装置を備え、この内の一のイメージが選択されたらこれに関連する情報を前記記憶装置から読み出して、前記出力手段がこのイメージに対応するパスワード認証手段に向けて出力する、請求項２５または請求項２６に記載のパスワード管理システム。
【請求項２９】
前記端末装置がサーバに無線で接続される携帯機器である、請求項２５または請求項２６に記載のパスワード管理システム。
【請求項３０】
前記イメージ取得手段が写真を撮影するための撮影装置である、請求項２５または請求項２６に記載のパスワード管理システム。
【請求項３１】
前記イメージ取得手段が端末装置側の表示画面をキャプチャするための画面キャプチャ手段である、請求項２５または請求項２６に記載のパスワード管理システム。
【請求項３２】
前記パスワード生成手段が乱数発生手段である、請求項２５または請求項２６に記載のパスワード管理システム。
【請求項３３】
前記パスワード生成手段が、パスワード表を備えてこのパスワード表からパスワードを取得するものである、請求項２５または請求項２６に記載のパスワード管理システム。
【請求項３４】
前記パスワード生成手段がユーザーからのパスワードの入力を受け付ける入力装置である、請求項２５または請求項２６に記載のパスワード管理システム。
【請求項３５】
前記端末装置がこの端末装置のユーザーを撮影して表示するための撮影装置を備えている、請求項２５または請求項２６に記載のパスワード管理システム。
【請求項３６】
前記端末装置がこの端末装置のユーザーを写すためのミラーを備えている、請求項２５または請求項２６に記載のパスワード管理システム。
【請求項３７】
請求項１〜１３の何れか１に記載のパスワード管理方法をコンピュータに実行させるプログラム。
【請求項３８】
請求項１〜１３の何れか１に記載のパスワード管理方法をコンピュータに実行させるためのプログラムを記録した、コンピュータ読み取り可能な記録媒体。
【請求項３９】
イメージとパスワードとが関連付けされており、このようなイメージとパスワードとの組が複数組記録されて成る、パスワードテーブル。
【発明の詳細な説明】
【技術分野】
【０００１】  この発明は、パスワードを引き出す明らかな手掛かりを提供してパスワードの取り扱いを容易なものとすることができるパスワード管理方法、装置、システム、記録媒体、プログラム及びパスワードテーブルに関する。
【背景技術】
【０００２】  近年銀行のキャッシュカードやクレジットカードの不正使用が大きな社会問題となっている。盗難やスキミングにあったカードが別途とられたパスワードによって使われてしまうのである。このパスワードは生年月日であったり電話番号であることが多いため比較的容易に破られている。あるいは例えばこれらのカード類を一時的に預ける際のロッカーのパスワードにカードのパスワードを用いたりすると、このロッカーのパスワードが盗まれた場合に問題が起こる。ここで問題なのは、面倒であるからと言ってすべてにわたり同一のパスワードを使用していることである。これでは一つが知られてしまえばすべてが終わりである。従ってパスワードは使い分ける必要があり、異なるパスワードをいくつも記憶しなくてはならないと言うことになる。【０００３】  例えば新しくロッカーを借りる時などには新たにパスワードを作成する必要があるが、重複が無いように考えるのは面倒なことである。こう言った面倒を取り除かない限り再びパスワードの使い回しが起こることは目に見えている。そこでパスワードを自動で生成してくれる特開２００４−２５８９０６号のような発明を利用するとよい。このようにしてそれぞれの場面に応じたユニークなパスワードを、場面ごとに記憶しておくようにするのである。
【特許文献１】特開２００４−２５８９０６号公報
【発明の開示】
【発明が解決しようとする課題】
【０００４】  しかしながら例えばこのロッカーに預けた荷物からクレジットカードを取り出して支払いを済ませて帰ると言うような場面で、ロッカーの鍵に合致するパスワードが想起できないとなると、そこから一歩も先へ進めなくなると言うたいへん困った状況に陥る。何れにせよ適切なパスワードを容易に想起できるようにしないと、結局はパスワードの使い回しに走るようになるであろう。なお本人確認のために指紋などのバイオメトリクスデータを登録させて使用することも考えられているが、これを好まないユーザーが多いのも現実である。【０００５】  従ってこの発明の課題は、パスワードを引き出しやすくして、パスワードの取り扱いを容易に行なうことができるようにすることにある。
【課題を解決するための手段】
【０００６】  上記課題は、パスワード作成要求に基づいてパスワードを生成し、イメージを取得し、このイメージと前記パスワードとを関連付けて記録し、パスワード出力要求に基づき前記記録したイメージとパスワードとを出力する、パスワード管理方法とすることにより達成される。このようにして生成されたパスワードを用いて施錠するのであるが、この状況に於いてこのパスワードとイメージとが関連付けられていることによって、次に開錠しようとする際にこのイメージを取り出せば対応するパスワードが取り出せるのである。またこのパスワードがいま必要としているパスワードであるが否かはイメージにより確認することができる。なお記録した情報の出力形態に関しては後述するものなど任意形態のものが採用可能である。【０００７】  イメージは、これをパスワードと一緒に提示する以外にも、イメージを選択可能に提示して、このイメージが選択されたらこれに関連するパスワードを出力すると言うように、段階を設けて行なうようにすることが可能である。再度イメージを確認できるようにしたいのであればイメージの表示に戻れるようにすれば良い。なお複数のイメージをこの中から何れか一つが選択可能となるように提示して、イメージが選択されたらこれに関連するパスワードを出力するようにすることができる。またこの場合には複数のイメージをサムネイル画像等としてまとめて提示することも可能である。このように提示されている複数のイメージを見れば、いま必要としているパスワードがこれ等複数のイメージの中のどのイメージに関連するものであるかが容易に想起できるのである。そのイメージを選択すればパスワードが後述の出力形態で出力される。従って目的のパスワードを見付け出すことが極めて容易である。なおこの際にパスワードと共にこのイメージを表示するようにすれば、このパスワードが適正なものであるか否かがこのイメージによって再度確認できる。またこの際にイメージを大きく表示することも好ましい。【０００８】  複数のイメージをまとめて提示する場合、パスワードとこれが何に付いてのパスワードであるかを想起させるためのイメージとはセットであり、イメージがあるからパスワードが見付け出しやすい引き出し易いと言うことになるし、またイメージでパスワードの適否が判断できるから、パスワードの取り扱いは極めて容易である。例えば写真を並べて表示すれば、該当する写真を探すだけで適正なパスワードを得ることができるのである。この写真はユーザーが想起しやすい場面を撮るようにすればよい。例えば上記ロッカーのキーボード、銀行のロビー、パソコンの画面、金庫やドアを撮影するのである。写真であれば一目瞭然である。【０００９】  覚えられない、思い出せないなどの困難な問題を抱えるパスワードであるが、これまではパスワードのみを紙のメモ帳や電子手帳などに記録することが行なわれて来た。しかしながらこのパスワードを見ただけではこれが何に付いてのパスワードであるかを直ぐには想起できない場合があった。これに対してこの発明のパスワード管理では写真などのイメージを使用しているため、文字を読む必要がなく、イメージを見れば一目でそれと分かると言う利点がある。文字よりはイメージの方���格段に分がりやすいのである。すなわちこの発明ではイメージを用いると共にイメージとパスワードとを関連付けるようにした点に最大の特徴を有し、パスワードの取り扱いを容易なものにしている。【００１０】  また従来よりパスワードとそれに付けた名前とを幾つも並べたリストを作ることが行なわれて来た。例えばパスワードとロッカー名などとの組を並べて紙のメモ帳や電子手帳などに記録しておくのである。しかしながら複数のロッカーを使用しているような状況下では、このパスワード表を見ただけでは、いま開錠しようとしているロッカーに付いての適正なパスワードが直ちには見付け出しづらかったのである。このロッカーがこの表示中のどのロッカーであるかが直ぐには分からないのである。この原因として考えられるのは、このようなパスワード表では文字が主体であることにより、表示を読み目で追って名前を探す必要があり一瞥で目的のものを見付け出すことがなかなか難しいと言うことがある。また気を抜くと行の読み間違いを起こしたりもする。従って相変わらずパスワードは引き出しにくく、パスワードの取り扱いは容易ではない。これに対してこの発明のパスワード管理では、イメージはパスワードを引き出す明らかな手掛かりであって、イメージを用いることでパスワードの見付けやすさが格段に向上している。また確認に付いても一目瞭然なのである。このようなことはこれまでにはなかった。【００１１】  イメージの取得は、用意しておいたイラストや写真から任意のものを選択させるようにしたり新たに写真を撮影するなどして行なうことができる。写真の撮影では解像度を設定できるようにすることも好ましい。またパソコンや携帯電話などの表示画面をキャプチャしたり、さらにこのキャプチャイメージの縮小加工やトリミングなどを行なうことなどもイメージの取得の一つである。【００１２】  バスワードの生成は、乱数発生によったり、予め作成しておいたパスワード表から取得したり、またこのパスワード表をユーザーに提示してここから選ばせたり、キーボードなどの入力装置を用いてユーザーからの入力を受け付けることにより行なうことができる。ユーザーにパスワードを入力させる場合ではユーザーはイメージを頭に浮かべながら考えるなどすればよく、上述のようにパスワードの取り扱いが楽な分気楽にパスワードを作ることができる。またパスワードをこの発明の側で生成する場合ではユーザーは自分でパスワードを考える必要さえなくなっている。【００１３】  上記イメージの取得とパスワードの生成とは、各々別々のトリガーによって為されるようにしてもよいが、イメージの取得をトリガーとしてパスワードを生成したり、逆にパスワードの生成をトリガーとしてイメージを取得するようにすることができる。例えばイメージの取得を写真の撮影としパスワードの生成を乱数の発生によるものとする場合では、写真撮影をトリガーとして乱数発生を行なうのである。なお写真撮影のトリガーはシャッターを切ることである。これに対し各々別々のトリガーによるものとしたいのであれば、例えばシャッターとパスワードの生成スイッチとを設けておき、写真撮影とパスワードの作成とを別々に行なっておき、さらに設けた登録スイッチが押されたら両��を関連付けて記録するなどとすればよい。【００１４】  記録した情報の出力形態に関して、パスワードの出力は表示装置への表示とすることができる。これによればパスワードは目で見ることができるため、例えば上述したロッカーにキーボードを用いてパスワードを入力するような場合に利用される。このパスワードはイメージとは別に表示しても、イメージに重ねて表示してもよい。またパスワードの出力は送信装置による送信とすることができる。これによれば例えばパスワード認証サーバへ送信装置を介してパスワードを送信することができる。生成したパスワードをパスワード認証サーバ側と共有しておき、パスワードの出力時にパスワード認証サーバへ送信装置を用いて送信するのである。従ってパスワード認証サーバ側ではこの送信されたパスワードを受信して認証する処理を行なう。あるいは例えば家族に電子メールでパスワードを送信することも可能である。【００１５】  次に上記課題は、写真を撮影し、この写真の撮影をトリガーとして乱数を発生してパスワードを生成し、このパスワードと前記写真とを関連付けて記録し、この写真をサムネイル画像として選択可能に提示し、このサムネイル画像が選択されたらこのサムネイル画像に相当する写真とこの写真に関連付けられたパスワードとを表示するパスワード管理方法とすることにより達成される。なお乱数によるパスワード生成ではなく、ユーザーからのパスワードの入力を受け付けて前記写真に関連付けして記録するようにしてもよい。なお写真を撮影する撮影装置としてはデジタルカメラが好適である。【００１６】  例えば上述の一時預りのロッカーに付いてパスワードを設定するのであれば、ユーザーがカメラのシャッターを押したらこのロッカーの写真を撮影し、続いて乱数を発生させてパスワードを生成し、このパスワードとロッカーの写真とを一緒にして記録しておくのである。あるいはロッカーの写真を撮影し、ユーザーがキーボードから入力したパスワードを受け付け、このパスワードとロッカーの写真とを一緒にして記録しておくのである。そしてユーザーはこのパスワードをロッカーの施錠の際に使用する。次にロッカーを開錠する際にはこのロッカーの写真を表示させるようにする。写真とパスワードとの組は複数組が記録されるため、前記ロッカーの写真表示は、記録されている全ての写真がサムネイル画像で選択可能に提示される。ユーザーがこのサムネイル画像からいま必要な写真を見付けてそれを選択すると、この選択されたサムネイル画像に相当する写真とこの写真に関連付けられたパスワードとを表示する。なおこの際には写真をサムネイルではなくより大きく表示する。そこには該当するパスワードが表示されるので、ユーザーはこのパスワードをロッカー付属のキーボードから打ち込めばよいわけである。ユーザーにしてみればパスワードが自動的に生成されるので、パスワードの作成に頭を使う必要はない。パスワードをユーザー側に作らせる場合でも、パスワードの記憶に頭を使う必要がないために気楽である。また必要としているパスワードが合っているか否かは写真により確認できる。すなわちパスワードを想起するという必要が殆どなくなっているのである。【００１７】  このようにユーザーは、写真から必要なパスワードをすぐに見付け出すことができる。これは例えば写真を用いることなく、パスワードのみ、あるいはパスワードとロッカー名などとを関連付けたものを記録してある場合であって複数のロッカーを使用しているような状況下では、このレコードの表示を見ただけではいま開錠しようとしているロッカーに付いての適正なパスワードが直ちには見付け出し辛いであろう。このロッカーがレコードの表示中のどのロッカーであるかすら直ぐには分からない場合がある。しかしながら写真であれば一目瞭然であって、該当する写真を探すだけで適正なパスワードを得ることができるのであり、パスワードの取り扱いが極めて容易なものとなっている。【００１８】  さて上記課題は、パスワードを生成するためのパスワード生成装置と、イメージを取得するためのイメージ取得装置と、このイメージ取得装置によって取得したイメージと前記パスワード生成装置によって生成したパスワードとを関連付けて記録するための記憶装置と、この記憶装置に記録した情報の出力装置と、これ等の装置を制御する制御装置と、を有するパスワード管理装置とすることによって達成される。すなわち前記記憶装置にパスワードとこれが何に付いてのパスワードであるかを想起させるためのイメージとを関連付けて記録するのである。これによって、前記記憶装置からイメージを取り出せば対応するパスワードが取り出せる。前記情報の内イメージの取り出しは表示装置で行なわれるが、パスワードに関しては上述した通りである。【００１９】  なお前記記録した情報の出力に付いてであるが、この情報を表示装置に出力すればイメージと共にパスワードを目で見ることができる。また表示されたイメージに関連付けされたパスワードをＲＦＩＤ（Ｒａｄｉｏ  Ｆｒｅｑｕｅｎｃｙ  ＩＤｅｎｔｉｆｉｃａｔｉｏｎ）を利用して非接触でリーダに出力することなども可能である。【００２０】  またこのパスワード管理装置が、前記イメージを選択可能に提示するための表示装置を備え、このイメージが選択されたらこれに関連するパスワードを記憶装置から読み出して前記出力装置へ出力するものとすることができる。特に記憶装置に複数のイメージとパスワードとの組を記録して、これ等のイメージをこの中から何れか一つが選択可能となるように前記表示装置表示して、イメージが選択されたらこれに関連するパスワードを出力するようにすることができる。ユーザーはイメージを見ればこのイメージに関連づけられているパスワードが何に付いてのパスワードであるかを容易に想起することができ、これによって適正なイメージを選択することができる。【００２１】  このパスワード管理装置では、前記イメージ取得装置が写真を撮影するための撮影装置であるものとすることができる。この撮影装置には静止画用のものや動画用のものなどがある。また前記イメージ取得装置が表示画面をキャプチャするためのキャプチャ装置であるものとすることができる。例えばパスワード管理装置がインターネット接続可能な携帯電話に組み込まれているものとした場合、この携帯電話の表示画面に表示されている例えばショッピングサイトのホームページの画面やそのユーザー登録画面をキャプチャ装置によってキャプチャするのである。そしてこのユーザー登録画面で登録するパスワードを、このキャプチャされたイメージに関連付けしてこのパスワード管理装置で管理するのである。これによれば例えばカメラ付き携帯電話ではあっても撮影することが不可能な自己の表示画面をキャプチャすることによってイメージ取得が可能となるのである。このようなことはこれまで全く考えられていなかった。なおこのショッピングサイトのユーザー認証画面に於いてこのキャプチャされたイメージに関連付けされているパスワードを使用することになる。【００２２】  また前記パスワード生成装置が乱数発生装置であるものとすることができる。また前記パスワード生成装置が、パスワード表を備えてこのパスワード表からパスワードを取得するパスワード取得装置であるものとすることができる。何れのものでもユーザーにはパスワードを考えさせずに済む。また前記パスワードの生成装置がユーザーからのパスワードの入力を受け付ける入力装置であるものとすることができる。このパスワード管理装置がパスワードの管理をしてくれるので、ユーザーはパスワードを覚える必要がなく、自由に気楽にパスワードを作ることができる。なお例えば乱数発生装置によるパスワード生成と入力装置からのパスワード入力との何れか一をユーザーが選択できるようにしたり、乱数発生装置によるパスワード生成結果を必要に応じてユーザーが編集できるように設計することも可能である。【００２３】  なおパスワード管理装置が上記写真撮影装置と上記乱数発生装置のようなパスワードの自動生成装置とを備えたものでは、ユーザーはただ写真を撮るだけで良いため、このパスワード管理装置は数ある構成例の中でも最も操作性の良い部類に属するものとなる。このようなパスワード管理装置を提供すれば、ユーザーが再び一つのパスワードの使い回しに戻ることはまずないであろう。【００２４】  また前記出力装置がパスワードの表示を行なう表示装置であるものとすることができ、これによればパスワードは表示装置に表示されて目で見ることができるため、例えば上述したロッカーにキーボードを用いてパスワードを入力するような場合に利用できる。この表示装置ではパスワードをイメージとは別に表示するようにも、イメージに重ねて表示するようにもできる。また前記出力装置がパスワードの送信を行なう送信装置であるものとすることができる。これによれば送信装置はパスワードを例えばパスワード認証サーバへ送信することができる。生成したパスワードをパスワード認証サーバ側と共有しておき、パスワードの出力時にパスワード認証サーバへ送信装置を用いて出力するのである。【００２５】  またこのパスワード管理装置のユーザーを撮影して表示するためのカメラとその画像を表示するための表示装置とを有しているものとすることができる。この表示装置はカメラの画像を表示するためにだけ設けても、あるいは前記イメージを表示する表示装置と共用するようにしても良い。これはいわゆるショルダーハッキングを防止するためのものであって、ユーザーを撮影して表示装置に表示するとユーザーの背後が表示されるため、パスワードの肩越の覗き見に注意を払うことができるのである。なおカメラは静止画用のものでも良���が、動画用のものであれば時々刻々の変化を見ることができ便利である。またこのパスワード管理装置のユーザーを写すためのミラーを有しているものとすることができる。前記カメラよりこのミラーの方が簡易なものではあるが、安いコストで同様の効果を奏する。【００２６】  さて上記課題は次のようなパスワード管理システムとすることによっても達成される。すなわちサーバとこのサーバに接続される端末装置とから構成されるパスワード管理システムであって、当該システムはパスワードを生成するためのパスワード生成手段と、イメージを取得するためのイメージ取得手段と、前記パスワード生成手段により生成したパスワードと前記イメージ取得手段によって取得したイメージとを関連付けて記録するための記憶装置とを備え、端末装置は前記記憶装置に記録した情報を出力する出力手段を有しているものである。サーバと端末装置とは有線または無線により接続される。また使用されるネットワークにはＬＡＮ（Ｌｏｃａｌ  Ａｒｅａ  Ｎｅｔｗｏｒｋ）やインターネットや電話のパケット網などが含まれる。このシステムによれば、パスワード生成手段、イメージ取得手段、記憶装置に関してはこれをサーバ側で有するも端末装置側で有するも自由であり、ただイメージとパスワードとを関連付けて記録して成る情報の出力手段に付いては端末装置側で所有する。なおこの出力手段は表示装置であったり送信装置であったりする。【００２７】  前記パスワード生成手段をサーバ側で有するものでは、端末装置側でのパスワード生成を不要のものとすることができる。また前記イメージ取得手段をサーバ側で有するものでは、端末装置側でのイメージ取得を不要のものとすることができる。また前記記憶装置をサーバ側で有するものでは、端末装置側での上記情報の記録を不要のものとすることができる。従ってこれ等の手段の何れか一二あるいは全てをサーバ側に持たせ、前記出力手段は端末装置側に持たせて、サーバと端末装置との間で所要の処理を行なうようにすれば良いわけである。なおサーバ側にパスワード生成手段を有する場合であるが、パスワードの生成は乱数発生によったり、パスワード表からのパスワード取得によったりすればよい。サーバが端末装置に対してユーザーからのパスワード入力を受け付けるように命令すると言う構成であっても、上記パスワード生成手段はサーバ側が有するものと考えることができる。またサーバ側にイメージ取得手段を有する場合であるが、イメージの取得は、用意しておいたイラストや写真から任意のものを端末装置側に選択させるようにするなどすればよい。サーバ側で写真を撮影して用意しておくこともまたイメージ取得の一つである。またサーバ側に記憶装置を有するものでは、例えばパスワードを端末装置側に表示すると言う場合に、所要時にパスワードをサーバの記憶装置から端末装置へダウンロードして、不要になったらこのパスワードを端末装置から消去するなどが可能であり、端末装置からパスワードが盗まれるなどの危険が減少する利点がある。【００２８】  なおこの発明を、端末装置がサーバに接続した時にサーバから端末装置にダウンロードされて実行される、ネットワークローダブルなパスワード管理ソフトウェアとして、前記情報と共にサーバ側で管理するようなシステム構成も可能である。あるいはまたこの発明をパスワード管理ソフトウェアとして端末装置にインストールして、このソフトウェアの起動時のユーザー認証のみサーバ側で行なうようなシステム構成も可能である。【００２９】  前記出力手段が送信装置である場合に、この送信装置によってパスワードをパスワード認証サーバへ送信して認証してもらう、と言う用途がこの発明のパスワード管理システムにはある。このような場合のパスワード認証システムとしては特開２００１−６７３２０号公報が参考になる。この「情報提供支援方法及びその手順を記録した記録媒体」の発明は：（１）クライアント側からサーバ側に対して情報取得申請を行なうと、その情報取得申請に基づいてユーザーＩＤやワンタイムパスワード作成プログラムを含む情報取得情報がサーバ側からクライアント側に配付される。（２）クライアント側はその情報取得情報に基づいてワンタイムパスワードを自動生成し、このワンタイムパスワードを含む情報をサーバ側に送信する。（３）サーバ側では自らのワンタイムパスワードとクライアント側からのワンタイムパスワードとの一致を判定することで、クライアント端末の特定とクライアントの特定とを同時に行なうことができる。（４）この特定により正当性が確認されると、特定のユーザーを対象とした情報提供サービスが行なわれる：と言うものである。このようなパスワード認証システムにこの発明のパスワード生成手段により生成したパスワードとイメージ取得手段によって取得したイメージとを関連付けて記録し出力するパスワード管理システムとを組み合わせることにより、高度なセキュリティーを備えると共にイメージを活用してパスワードの取り扱いが極めて容易となるようなシステムを実現することができる。なお上記以外にも特開２００２−１３２７２８号公報や、特開２００２−２７８９２９号公報や、特開２００４−１７１０５６号公報などの内容をこの発明のパスワード管理システムに取り込むことが可能である。【００３０】  また上記課題は次のようなパスワード管理システムとすることによっても達成される。すなわちサーバとこのサーバに接続される端末装置とから構成されるパスワード管理システムであって、当該システムはパスワードを生成するためのパスワード生成手段と、イメージを取得するためのイメージ取得手段と、前記パスワード生成手段により生成したパスワードと前記イメージ取得手段によって取得したイメージとを関連付けて記録するための記憶装置と、前記パスワード生成手段によって生成したパスワードをパスワード認証手段へ通知するためのパスワード通知手段を備え、端末装置は前記記憶装置に記録した情報を出力する出力手段を有しているものである。このシステムによればパスワード生成手段、イメージ取得手段、記憶装置、パスワード通知手段に関してはこれをサーバ側で有するも或いは端末装置側で有するも自由であり、ただイメージとパスワードとを関連付けて記録して成る情報の出力手段に付いては端末装置側で所有する。この際に実際にはパスワードがサーバ側の記憶装置に記録されており、端末装置側からの送信命令を受けてサーバ側のパスワード認証装置へ送信する��言う構成であったとしても、上記情報の出力手段は端末装置側で所有しているものと考えることができる。なおこの認証の際に必要なサーバ側のパスワードが、前記パスワード生成手段によってパスワードが生成された時に、前記パスワード通知手段によって通知されるのである。【００３１】  次に上述した請求項２５または請求項２６に記載のパスワード管理システムに於いて、前記端末装置は前記イメージを選択可能に提示するための表示装置を備え、このイメージが選択されたら、これに関連するパスワードを前記記憶装置から読み出して前記出力手段により出力するものとすることができる。特に記憶装置に複数のイメージとパスワードとの組を記録して、これ等のイメージをこの中から何れか一つが選択可能となるように前記表示装置で表示して、イメージが選択されたらこれに関連するパスワードを出力するようにすることができる。ユーザーはイメージを見れば、このイメージに関連付けられているパスワードが何に付いてのパスワードであるかを容易に想起することができ、これによって適正なイメージを選択することができる。【００３２】  また上述した請求項２５または請求項２６に記載のパスワード管理システムに於いて、前記イメージを複数のパスワード認証手段に一対一対応させて前記記憶装置に記録しておき、端末装置は前記イメージを選択可能に提示するための表示装置を備え、この内から一のイメージが選択されたらこれに関連する情報を前記記憶装置から読み出して、前記出力手段がこのイメージに対応するパスワード認証手段に向けて前記情報を送信するものとすることができる。この際にパスワード認証手段に付されたＩＰ（Ｉｎｔｅｒｎｅｔ  Ｐｒｏｔｏｃｏｌ）アドレスやＵＲＬ（Ｕｎｉｆｏｒｍ  Ｒｅｓｏｕｒｃｅ  Ｌｏｃａｔｏｒ）アドレスなどの宛先が用いられる。なお複数のイメージをサムネイル画像としてまとめて提示することも可能である。このように提示されている複数のイメージを見れば、いま認証してもらおうとしているパスワード認証手段がこれ等複数のイメージの中のどのイメージに関連するものであるかが容易に想起できるのである。【００３３】  また端末装置は、サーバに無線で接続される携帯機器であるものとすることができる。すなわち端末装置を無線で電話網に接続する携帯電話としたり、無線ＬＡＮカードを備えてインターネットに接続するＰＤＡ（Ｐｅｒｓｏｎａｌ  Ｄｉｇｉｔａｌ  Ａｓｓｉｓｔａｎｔ）などとするのである。このような携帯機器ならばサーバとの接続は容易である。【００３４】  また前記イメージ取得手段を写真を撮影するための撮影装置とすることができる。この撮影装置には静止画用のものや、動画用のものなどがある。また前記イメージ取得手段を端末装置側の表示画面をキャプチャするための画面キャプチャ手段とすることができる。例えば端末装置側の表示画面にショッピングサイトのホームページの画面やそのユーザー登録画面が表示されている場合にこの表示画面を前記画面キャプチャ手段によってキャプチャして、このキャプチャされたイメージとパスワードとを関連付けして前記記憶装置に記録するようにする。なお一般的なパーソナルコンピュータではプリントスクリーンｐｒｔｓｃキーが押された��表示画面をキャプチャすることができるようになっている。【００３５】  前記パスワード生成手段に関して、乱数発生手段をパスワード生成手段とすることができる。また前記パスワード生成手段がパスワード表を備えてこのパスワード表からパスワードを取得するものとすることができる。パスワード表は人為的に考えられたパスワードを集めたものであっても、乱数表のようなものであってもよい。これ等の何れであってもユーザーはパスワードを考える必要がない。またパスワード生成手段がユーザーからのパスワードの入力を受け付ける入力装置であるものとすることができる。これによればユーザーは好みのパスワードを作って使用することができる。【００３６】  前記端末装置がこの端末装置のユーザーを撮影して表示するためのカメラを備えているものとすることができる。また端末装置がこの端末装置のユーザーを写すためのミラーを備えているものとすることができる。この何れもいわゆるショルダーハッキングを防止するためのものでありこの効果は大きい。【００３７】  さて上記課題は請求項１〜１３の何れか１に記載のパスワード管理方法をコンピュータに実行させるプログラムとすることにより達成される。プログラムの形態は自由であり、例えば携帯電話やデジタルカメラなどのハードウェアへの組み込みソフトウェア、パーソナルコンピュータのアプリケーションプログラム、例えばアルバムソフトなどのアプリケーションプログラムへのプラグインソフトウェア、また例えばＪａｖａ（登録商標）言語などのモービルコードなどとして実現可能である。すなわちこの発明のプログラムはイメージとパスワードとを関連付けるようにした点に最大の特徴を有して、パスワードの取り扱いが容易なものとなっている。【００３８】  また上記課題は請求項１〜１３の何れか一に記載のパスワード管理方法をコンピュータに実行させるためのプログラムを記録した、コンピュータ読み取り可能な記録媒体とすることにより達成される。この発明のプログラムを任意の記録媒体に記録して配付することができる。【００３９】  なおイメージとパスワードとが関連付けされており、このようなイメージとパスワードとの組が複数組記録されて成るパスワードテーブルは、前記記憶装置に記録されて用いられる。なお上述したようなパスワードの送信先に関する指定をパスワードテーブルに記載しておく用途も存在する。
【発明の効果】
【００４０】  この発明ではイメージを用いると共にイメージとパスワードとを関連付けて記録するようにしているので、イメージを取り出せば対応するパスワードが引き出せ、またこのパスワードがいま必要なパスワードであるか否かをイメージによって確認することができるようになった。この結果パスワードの取り扱いが極めて容易なものとなり所期の目的が達成された。【００４１】  なおパスワードをこの発明の側で生成する場合ではユーザーは自分でパスワードを考える必要さえなくなっている。パスワードをユーザーに入力させる場合でもユーザーはパスワードを覚える必要がない分、気楽にパスワードを作ることができる。またこのようであるからパスワードの変更が容易であり、頻繁に変更しても面倒なことはなく、使い捨てのパスワードが一般的に日常的に使用し得るようになっている。さらにまた例えば複数化されたパスワードや、パーソナルコンピュータを利用する際のユーザーＩＤとパスワードとの組や、桁数の大きなパスワードなどのように、より複雑なパスワードも易々と取り扱い得るようになっている。
【発明を実施するための最良の形態】
【００４２】  近年カメラ付き携帯電話機がブームになっている。携帯電話機は一種のコンピュータであるから乱数を発生してパスワードを生成したり、カメラで撮影したり、このパスワードや写真を表示機能を利用して表示したり、操作機能からパスワードや写真の編集を行なったりする、この発明のパスワード管理装置を構成するには好適なデバイスである。一方でＲＦＩＤ／ＩＣカードなどが普及し始めているため、これを利用すればパスワードの送信を非接触で行なうことが出来る。そこでこのカードに乱数発生機能、カメラ、表示部及び操作部を設けることによりこの発明のパスワード管理装置を構成することができる。なお上記何れの場合も管理センターをパスワードと写真のストレージとして利用すれば、携帯電話機やＩＣカードにレコードを置かなくて済むと共に何か問題が生じたような場合には管理センター側でレコードのダウンロードを禁止することができ、より安心である。なおＩＣカードはＩｎｔｅｇｒａｔｅｄ  Ｃｉｒｃｕｉｔの略記である。
【実施例１】
【００４３】  この実施例のパスワード管理装置は、撮影部１４（カメラ）付きの携帯電話機１を活用したものである。テンキーやファンクションキーから成る操作部１６と液晶画面の表示部１５とは携帯電話機１の前面に露出して設けられており、また背面には撮影部１４が設けられている。また携帯電話機１の内部には電話機としての音声通話やパケット通信のための通信部１３、制御ソフトウェアなどが記録された記憶部１２、およびこれ等を制御するＣＰＵ（Ｃｅｎｔｒａｌ  Ｐｒｏｃｅｓｓｉｎｇ  Ｕｎｉｔ）を中心とした制御部１０が納められている。また前記記憶部１２にはパスワード管理プログラムがインストールされているが、このパスワード管理プログラムはパスワードを乱数を発生させることにより生成し、撮影部１４で写真を撮影し、この写真を前記パスワードを合成したイメージに加工することで両者を関連付けて記憶部１２に記録し、またこの記録した情報を表示部１５に出力すると言う各ステップから成るパスワード管理方法を制御部１０に実行させるものである。従ってこの実施例でパスワード生成部１１はソフトウェア的に制御部１０内に形成される（図１）。【００４４】  このパスワード管理装置のパスワード生成時の実施手順を図３のフローチャートを参照して説明する。このパスワード管理装置を起動すると表示部１５に表示される図４の表示モードに於いて、ユーザーによってカメラボタン２６が選択されたら、生成モードに移行する（ステップＳ１）。この生成モードの図示しない写真撮影画面でシャッタースイッチがＯＮにされたら撮影部１４で写真を撮影する（ステップＳ２）。これをトリガーとして制御部１０はそのパスワード生成部１１で乱数を発生させて４桁のパスワード２１を生成し、写真２０と共に表示部１５にチェック画面２として表示する（ステップＳ３）。この状態は図２で示されているが、ここではパスワード作成時間２２を併せて表示している。ここでユーザーによってＯＫボタン２３が押されたら、このパスワード２１をパスワード作成時間２２と共に前記写真２０に合成して保存する（ステップＳ４）。そして図４の表示モードに移行して表示画面２５に写真２０とパスワード２１とパスワード作成時間２２とから成る合成イメージを表示する（ステップＳ５）。なおこの実施例ではチェック画面２にＮＧボタン２４を表示しており、ユーザーがＮＧボタン２４を押した場合には制御部１０は再撮影のために写真撮影画面を表示するが、煩雑になるため詳しい図示と説明とを省略する。また撮影後に上述のチェック画面２を表示することなく直ちに表示画面２５を表示するように設計することが可能である。なお表示画面２５に於いて最早この写真２０とパスワード２１とが不要になった場合には、ユーザーは消去ボタン２７を押せばよい。このことにより表示画面２５は次にカメラボタン２６が押されて写真撮影とパスワードの生成が行なわれるまでは空きの状態となる。なお上記カメラボタン２６や消去ボタン２７は画面上に表示されたものであり、操作部１６で対応するファンクションキーを押すことにより操作するいわゆるソフトキーである。【００４５】  この実施例のパスワード管理装置によれば、携帯電話機１がパスワードを作成してくれ��のでユーザーはその作成に頭を使う必要がない。また携帯電話機１のカメラで撮影した写真を見ればいま必要としているパスワードであるか否かが一目で了解される。なおこの実施例では表示画面２５で表示できる情報は１つだけであるがこれを例えば４つのように複数登録される設計とすることも可能である。またこの登録数を多くしたいような場合には、この表示画面２５をスクロール可能にしたりタブをインデックスとしてページ分けするなども好ましい。あるいは複数の情報をカードを１枚１枚繰るようにして提示することができる。なお上述したような写真２０とパスワード２１とを一つのイメージに合成して表示するのではなく、各々独立したものとして保存しておき、表示画面２５に並べて表示するような設計とすることも可能である。またパスワード２１を写真２０を保存する際のファイル名として利用することによって、写真５とパスワード２１とを紐付けるようにすることが可能である。
【実施例２】
【００４６】  この実施例のパスワード管理装置は、撮影部３４（カメラ）付きの携帯電話機３を活用したものである。テンキーやファンクションキーから成る操作部３６と液晶画面の表示部３５とは携帯電話機３の前面に露出して設けられており、また背面には撮影部３４が設けられている。また携帯電話機３の内部には電話機としての音声通話やパケット通信のための通信部３３、制御ソフトウェアなどが記録された記憶部３２、およびこれ等を制御するＣＰＵ（Ｃｅｎｔｒａｌ  Ｐｒｏｃｅｓｓｉｎｇ  Ｕｎｉｔ）を中心とした制御部３０が納められている。また前記記憶部３２にはパスワード管理プログラムがインストールされているが、このパスワード管理プログラムはパスワードを乱数を発生させることにより生成し、撮影部３４で写真を撮影し、前記パスワードとこれが何に付いてのパスワードであるかを想起させるための前記写真とを関連付けて記憶部３２に記録し、またこの情報を表示部３５に出力すると言う各ステップから成るパスワード管理方法を制御部３０に実行させるものであり、前記記憶部３２にインストールされている。従ってパスワード生成部３１はソフトウェア的に制御部３０内に形成される（図５）。【００４７】  図６はこの実施例のパスワード管理装置を起動した時に、携帯電話機３の表示部３５に表示される画面を表わしたものである。この画面は写真一覧画面４であり、１２個のコマ４０には既に登録されているコマが一つあり、ここには登録されている写真のサムネイル４２が表示されており、これ以外のコマは空きコマ４１である。なお現在の一般的な携帯電話機ではコマの数を縦３×横３の計９個、あるいは１２個くらいとするのが見やすくて良い。この表示個数を増やしたいとするならば、例えばコマ４０の画面をスクロールできるようにしたり、タブで画面を切り替えられるようにするなどの設計が可能である。【００４８】  このパスワード管理装置のパスワード生成時の実施手順を図９のフローチャートを参照して説明する。図６ではカーソルの黒枠が写真のサムネイル４２の位置にあるが、これをユーザーが何れか空きコマ４１に移して図示しない選択ボタンを押すと生成モードに移行する（ステップＳ６）。この生成モードの図示しない写真撮影画面でシャッタースイッチがＯＮにされたら撮影部３４で写真を撮影する（ステップＳ７）。これをトリガーとして制御部３０はそのパスワード生成部３１で乱数を発生させて４桁のパスワード４０１を生成し、写真４７と共に表示部３５にチェック画面４６として表示する（ステップＳ８）。この状態は図７に図示されているがここではパスワード作成時間４０２を併せて表示している。そこでユーザーによってＯＫボタン４０３が押されたら、このパスワード４０１及びパスワード作成時間４０２を前記写真４７に関連付けして保存する（ステップＳ９）。そして図６の写真一覧画面４に戻ってこの画面に写真のサムネイル４２を追加する（ステップＳ１０）。なおこの実施例ではチェック画面４６上にＮＧボタン４０４を表示しており、ユーザーがＮＧボタン４０４を押した場合には制御部３０は再撮影のために写真撮影画面を表示するが、煩雑になるため詳しい図示と説明とを省略する。また撮影後に上述したチェック画面４６を表示することなしに直ちに写真一覧画面４を表示するように設計することも可能である。また前記サムネイル４２は写真４７の縮小表示であるが、写真４７から独立したものとして新たに作るようにしてもよい。また前記図示しない選択ボタンはこの実施例の携帯電話機３のカーソルの上下左右方向の動きを指示する矢印キーの中央に配置されているものであるが、またこの実施例ではこの選択ボタンを用いず前記カーソルの黒枠を空きコマ４１に移す操作を行なわずとも、単にカメラボタン４３を操作するだけで、前記写真のサムネイル４２が登録されているコマの次順位の空きコマに、新しい写真のサムネイルが自動的に登録されるように設計されている。また図６の写真一覧画面４では終了ボタン４４を押すとこのパスワード管理装置が終了する。また前記カーソルの黒枠を設定ボタン４５に移してこれを押すと、図示しない設定画面が現われるように設計されている。この設定画面でパスワードの作成桁数［４，８，１６］、作成個数［１，２］、パスワードのタイプ［数字のみ，英数，英数（小文字のみ），英数記号，英字，英字（小文字のみ）］のセットを設定することが出来る。因みにデフォルト値を４桁、１個、数字のみとした。またこの設定画面ではこの実施例のパスワード管理装置を起動する際のパスワードの入力を必要とするか否かの設定が行なえるようになっている。またここではこの起動用のパスワードの変更が行なえるようになっている。なお前記作成個数を［１，２，３］とするなど、このような設定オプションをさらに増やす設計も可能である。【００４９】  ところでこの実施例のチェック画面４６では、作成したパスワード４０１を編集窓４８内に、またパスワード作成時間４０２を編集窓４００内に表示している。また編集窓４９内には前記パスワードの作成個数が２である場合に生成する第２のパスワードを表示するようになっている（図７）。編集窓４８，４９，４００では操作部３６のキースイッチを用いてユーザーからの入力を受け付けることができる。そこで編集窓４８，４９，４００に表示されている内容に編集を加えることなく前記ＯＫボタンを押すと、後述する図８の閲覧画面ではそのままに表示される。しかしながら編集窓４００内のパスワード作成時間４０２を消去してメモを書き込んだり、編集窓４８内のパスワード４０１を自作のものに書き換えたり、現在は空白である編集窓４９内に新たに書き込んだりすれば、この結果は図８の閲覧画面に反映されるのである。なおパスワードをこの発明の側で生成しない場合の構成は、上述した第２のパスワードを生成しない設定の編集窓４９で実現されていると言うことができる。【００５０】  さて図８の表示画面であるが、パスワード表示時の操作手順を図１０のフローチャートを参照して説明する。図６の写真一覧画面４には、いま必要としているパスワードに関連する写真を、この写真一覧を一目見るだけで見付けることができると言う効果があるが、このように写真一覧画面４に写真のサムネイル４２を表示する（ステップＳ１１）。この実施例では最大１２個の写真を登録することができるが、写真一覧画面４には登録された数だけのサムネイル４２を表示する。ユーザーには選択した写真のサム��イル４２の位置にカーソルの黒枠を移して、図示しない選択ボタンを押してもらう。これによって選択が確認されたら（ステップＳ１２）、制御部３０は該当する写真４７と、この写真４７に関連付けして記録したパスワード４０１とパスワード作成時間４０２とを図８で示すような表示画面４０５に表示する（ステップＳ１３）。写真４７とパスワード４０１とがセットになっているために、いま正に使用しようとしている錠のパスワード４０１であることが一目で了解されるのはこの発明ならではの特長である。なお万一写真４７でも迷うような場合に備えてパスワード作成時間４０２を併せて表示するようにした。これは時間がどのような場面でパスワードを作成したかの記憶想起の糸口となる場合があるからである。なお図８の表示画面４０５には不要となったレコード（及びこれに関連する図６の写真一覧画面４の写真のサムネイル４２）を削除するための消去ボタン４０７と、図６の写真一覧画面４に切り替えるための戻るボタン４０６とを表示している。前記消去ボタン４０７の操作によって空きコマ４１ができ、このコマには次の写真が登録可能となる。
【実施例３】
【００５１】  この実施例のパスワード管理装置は、撮影部３４（カメラ）付きの携帯電話機３を活用したものであるが、さらにこれには第２撮影部３９（カメラ）が液晶画面の表示部３５側（携帯電話機３の前面）に設けられており、ユーザー方向の撮影を可能にしている。またこの実施例の制御部３０はパスワード生成部３１に加えて、画面キャプチャ部３７およびＷＷＷブラウザ部３８を備えている。ＷＷＷブラウザ部３８は携帯電話の電話網を利用してインターネットに接続しＷＷＷページを表示するためのものである。画面キャプチャ部３７はＷＷＷページを含めて表示部３５に表示されているものを記憶部３２などに記録するためのものである。記憶部３２にはパスワード管理プログラムがインストールされているが、これは撮影部３４で写真を撮影し、あるいは画面キャプチャ部３７にて表示部３５のスクリーンをキャプチャする、またパスワードを乱数を発生させることにより生成し、あるいは操作部３６のキースイッチを用いてユーザーからの入力を受け付けてこれをパスワードとする、そしてこのパスワードとこれが何に付いてのパスワードであるかを想起させるための前記イメージとを関連付けて記憶部３２に記録し、またこの情報を表示部３５に出力する、と言うパスワード管理方法を制御部３０に実行させる（図１１）。【００５２】  このパスワード管理装置によるパスワード生成の実施手順を図１３のフローチャートを参照して説明する。図１２ではＷＷＷブラウザ部３８がＷＷＷ表示画面５を表示している状態が表わされている。この画面は本人確認画面であり、アカウントＩＤとパスワードとを入力してＬｏｇｉｎボタンを押すことによりこのＷＷＷサーバ側でユーザー認証が行なわれるが、このアカウントＩＤとパスワードとをこの実施例のパスワード管理装置で最初に作成して登録しておき、次からはこのアカウントＩＤとパスワードを見付けることを容易にしようと言うのである。そこで閉じるボタン５４の位置に表示されている図示しない機能ボタンが押されたら、ＷＷＷブラウザ部３８はＷＷＷ表示画面５に機能メニュー５０を重ねて表示する。この際に前記機能ボタンに代えて閉じるボタン５４を表示するがこの閉じるボタン５４が押された時には前記機能メニュー５０を消すようになっている。この機能メニュー５０には、ダイレクトアクセスキー「１」に続けて「スクリーンショット／写暗証登録」と表示したスクリーンショットメニュー５１、同じく「２」に続けて「写暗証起動」と表示した起動メニュー５２、同じく「３」に続けて「メール作成」と表示したメーラー起動メニューが含まれている。ここでユーザーが「スクリーンショット／写暗証登録」を前記選択ボタンに対応するＷＷＷ表示画面５中の選択ボタン５３を用いて選択するか、ダイレクトアクセスキー「１」すなわち操作部３６の数字キーの「１」を押すと、この機能メニュー５０を消してＷＷＷ表示画面５をキャプチャして、パスワード管理装置を起動する（ステップＳ１４）。そしてパスワード管理装置はこのキャプチャ画面を受け取る（ステップＳ１５）。続いて制御部３０はそのパスワード生成部３１で乱数を発生させてパスワードを生成し（ステップＳ１６）、このパスワードを前記キャプチャ画��に関連付けして保存する（ステップＳ１７）。そして写真一覧画面に戻ってこの画面にキャプチャ画面のサムネイルを追加して表示する（ステップＳ１８）。このように撮影部３４では撮れない表示部３５に表示された画面をこの実施例の画面キャプチャ部３７で取得することができるのであり、これは正に画期的な発明である。なおステップＳ１６で生成されたパスワードは、通信部３３によってパスワード認証サーバへ送信・通知され（通知処理に付いては図示せず）、後のパスワード認証サーバでの認証の際に必要なサーバ側のパスワードとしてサーバ側に記録される。後にユーザーはこのＷＷＷ表示画面５でパスワード入力を要求されたら、前記機能メニュー５０を表示させてダイレクトアクセスキー「２」を押すか「写暗証起動」と表示した起動メニュー５２を選択すると、このパスワード管理装置が起動するので、写真一覧画面を見ることによりすぐさま前記キャプチャ画面のサムネイル画像を見付けることができる。従ってこのサムネイル画像を選択すれば、これに紐付けされているパスワードが表示されるので、ユーザーは前記ＷＷＷ表示画面５に戻ってこのパスワードを使用すればよい。なお「写暗証」とは当方の商標である。【００５３】  またこの実施例のパスワード管理装置には、いわゆるショルダーハッキング確認機能が組み込まれている。すなわち図１４は表示部３５に表示された写真撮影画面４０８であるが、ここには前記撮影部３４で撮影している写真４７の右下の小型の写真表示画面４０９にユーザー写真４１０が表示されている。これは前記第２撮影部３９で撮影しているものであり、ユーザー自身とその左右や背後を写すことができるため、肩越しの覗きを発見し得ると言う効果がある。なおこの写真表示画面４０９に対して表示・非表示が切り替えられるように設計することができる。あるいは写真表示画面４０９を設けないような場合でも、機能ボタン４１３に、第２撮影部３９による撮影に切り替えて写真撮影画面４０８にユーザー写真４１０を表示する、と言う目的の機能メニューを設ける設計も可能である。また写真表示画面４０９は単に写真撮影画面４０８のみならず写真一覧画面４や表示画面４０５などに表示されるように設計することも可能である。なお図１４中で符号４１１は撮影ボタン（シャッター）を指し、また符号４１２は撮影部３４の前方を照らす図示しないライトを点灯するための照明ボタンを指す。
【実施例４】
【００５４】  さて上述した実施例１〜３のパスワード管理装置では、作成したイメージとパスワードとを、両者を関連付けた上で携帯電話機の記憶部に記録している。しかしながら安全上等の理由から携帯電話機にこのようなデータを置きたくないと言う場合には、図１５に示すように電話局６０の記憶部６１にデータを置くパスワード管理システムを構築することが可能である。この場合の電話局６０とは電話局としての処理の他に、このパスワード管理システムの言わばパスワード管理サーバとして下記パスワード管理プログラムを実行するものである。このシステムの構成要素である携帯電話機６は最寄りの基地局６２と交信するが、この基地局６２は電話局６０に接続されている。従って作成した写真とパスワードとを基地局６２を経由して電話局６０の記憶部６１に記録し、携帯電話機６の記憶部には保存しないようにして、必要に応じて電話局６０と交信して上記データを記憶部６１から読み出して携帯電話機６の表示部に表示し、不要になったらこのデータを携帯電話機６から消去するようにすればよいのである。【００５５】  次に電話局６０側のパスワード管理プログラムの実施手順を図１６のフローチャートを参照して説明する。携帯電話機６側のパスワード管理プログラムを起動すると、このプログラムは電話局６０に対して接続要求を出すが、このような接続要求を受けて電話局６０は本人確認を行なう（ステップＳ１９）。本人確認に成功したならば電話局６０は携帯電話機６に対してパスワードテーブル５５と写真とを送信して（ステップＳ２０）携帯電話機６との接続を解消する（ステップＳ２１）。こうして携帯電話機６は図１７の模式図で表わされているようなパスワードテーブル５５を得るが、これには登録番号５６と画像名５７とパスワード５８と、また在る場合には第２のパスワード５９やメモ５００が記載されている。従って例えば登録番号５６が「５」であるサムネイル画像がユーザーによって選択されたならば、このレコードに記載されている画像名５７に相当する写真を読み込んで表示すると共に、このレコードに記載されているパスワード５８およびパスワード５９と、メモ５００とを表示する。このサムネイル画像は前記写真の縮小表示になるものである。なおパスワードテーブル５５のフォーマットはカンマ形式やタブ形式と言った一般的なものとしても、あるいはこのパスワード管理システムのみがローディングできる形式のものとしてもよいが、画像名とパスワードとがこのパスワードテーブル５５の上で紐付けられている構造が重要なのである。なおこのようなパスワードテーブルは他の実施例でも利用可能である。請求項２８の発明であれば、複数のパスワード認証手段の各々に付いてイメージとパスワードとを一対一対応させたパスワードテーブルとなる。【００５６】  携帯電話機６のパスワード管理プログラムは、付属の撮影部（カメラ）によって写真を撮り、パスワード生成部でパスワードを作り、両者を関連付けてパスワードテーブル５５を更新し写真を保存することを行なう。そして携帯電話機６のパスワード管理プログラムを終了する際には、このプログラムが電話局６０に接続して前記パスワードテーブル５５と写真とを送信して接続を切り、最後に携帯電話機６側のパスワードテーブル５５と写真とを消去して終了する。あるいは写真とパスワードとの組でユーザーの要求によって消去したものに付いては、そのようにパスワードテーブル５５を更新し、パスワード管理プログラムの終了に際してはこのプログラムが電話局６０に接続して前記パスワードテーブル５５を送信して接続を切り、最後に携帯電話機６側のパスワードテーブル５５と写真とを消去して終了する。すなわち図１８のフローチャートによれば、携帯電話機６からの接続要求を受けて電話局６０は本人確認を行ない（ステップＳ２２）、本人確認に成功したならばパスワードテーブル５５の更新の有無をチェックして同期させ（ステップＳ２３）、携帯電話機６との接続を解消するのである（ステップＳ２４）。こうして携帯電話機６にはパスワードテーブル５５も写真も残らない。【００５７】  なおデータを置く場所を電話局６０とせずに、携帯電話機とは電話網やインターネットなどで接続するパスワード管理サーバとするシステムも構築可能である。またパスワード管理の安全性を確保するためにパスワード管理サーバを、携帯電話機にインストールされているパスワード管理ソフトウェアの使用許可のみを出させるものとする設計も可能である。なお次に説明するパスワード管理システムでは、パスワードを生成したりイメージを取得したりこのイメージとパスワードとを関連付けるまでを電話局６０側で担当し、この情報を携帯電話機６側で受信して利用するようにしている。これによって携帯電話機６側の処理を軽いものとしている。またパスワードを乱数表から得るようにしたり、イメージの取得ではイラストをユーザーに提示して選択してもらう点に特徴がある。
【実施例５】
【００５８】  図１９に示すように電話局６０には基地局６２が接続されており、電話局６０は電話局としての処理の他に、このパスワード管理システムの言わばパスワード管理サーバとして下記パスワード管理プログラムを実行すべく構成されている。すなわちここでは図示していないがこのシステムの構成要素である携帯電話機に対してイラストを提示して選択させるためのイラストライブラリ６４と、乱数表６６からパスワードを作るパスワード生成部６５と、携帯電話機を認証したり、この携帯電話機へ前記選択されたイラストと前記生成されたパスワードとを送信する制御・認証部６３とから構成されている。携帯電話機側が電話局６０側に接続するのは、イメージ（この実施例では写真ではなくイラスト）やパスワードを自分で作るのではなく電話局６０側に作らせることが目的であり、携帯電話機側ではこのようにして取得したイメージとパスワードとを関連付けて記録し、この記録した情報を利用するのである。従って携帯電話機側でカメラを備える必要はない。【００５９】  電話局６０側のパスワード管理プログラムの実施手順を図２０のフローチャートを参照して説明する。図示しない携帯電話機側のパスワード管理プログラムを起動すると、このプログラムは電話局６０に対して接続要求を出すが、このような接続要求を受けて制御・認証部６３は本人確認を行ない（ステップＳ２５）、この本人確認に成功したならば携帯電話機側にイラストライブラリを提示して好みのイラストを選択してもらう（ステップＳ２６）。これをトリガーとしてパスワード生成部６５は乱数表６６を用いてパスワードを生成する（ステップＳ２７）。そして前記選択されたイラストと生成したパスワードとを携帯電話機側へ送信して（ステップＳ２８）、携帯電話機との接続を解消する（ステップＳ２９）。イラストとパスワードとをセットで送信していることから、両者は関連付けされていることになるのである。携帯電話機側のパスワード管理プログラムでは、受信したイラストとパスワードとのセットを記憶装置に保存して使用に備えるのである。なお不要になったイラストとパスワードは携帯電話機側で消去すればよい。また電話局６０側ではなるべく多くのシチュエーションで使用することができるように、様々なイラストを分類して提示できるようにしておくことが望ましい。電話局６０側にはより高度なパスワード生成手段を提供したり、パスワード生成手段やイラストライブラリなどを素早く更新することができると言うメリットがある。またこの実施例では電話局６０でイラスト以外にもキャラクター画像や漫画などの任意のイメージを取り扱うことができる。また写真を撮影し保存しておくこともイメージの取得の一つである。
【実施例６】
【００６０】  この実施例のカード型パスワード管理装置７はＲＦＩＤ／ＩＣカードを基にした専用機である。このＩＣカードの内部には後述する制御部７０を中心とするＩＣチップとループアンテナ７４と図示しないバッテリーとが納められている。またこのＩＣカードの前面には液晶表示部とタッチ式入力部とを兼ねるタッチパネルディスプレイ７６が設けられていると共に、その上方にショルダーハッキング確認用のミラー７９と、メンブレンスイッチになるカメラのシャッター７７と電源スイッチ７８とが設けられている。またＩＣカードの背面には撮影部７５（カメラ）が設けられている。ＩＣチップはＲＦＩＤ／ＩＣカードのリーダ側と非接触通信をするための通信部７３、制御ソフトウェアなどが記録された記憶部７２、および上記各部を制御するＣＰＵを中心とした制御部７０が納められている。パスワード管理プログラムは、パスワードを乱数を発生させることにより生成し、撮影部７５で写真を撮影し、前記パスワードとこれが何に付いてのパスワードであるかを想起させるための前記写真とを関連付けたレコードとして記憶部７２に記録し、この情報を前記タッチパネル７６に出力すると言う各ステップから成るパスワード管理方法を制御部７０に実行させるものであり、記憶部７２にインストールされている。従ってパスワード生成部７１はソフトウェア的に制御部７０内に形成されるものである（図２１）。【００６１】  図２２はパスワード生成時の表示画面である。電源スイッチ７８を押すと電源が入る。シャッター７７を押すと撮影部７５で撮影して写真８をタッチパネルディスプレイ７６に表示する。また同時に乱数を発生してパスワードを生成する。この実施例では複数のパスワードを生成して提示し、この中からユーザーに選んでもらうようにしている点に特徴を有する。すなわち写真８の右方はパスワードや後述するスイッチ類の表示領域であるが、この上の段に３種のパスワード８０，８１，８２を提示している。この内パスワード８０は数字だけから成る４桁のパスワードであり、パスワード８１は英文字と数字とから成る８桁のパスワードであり、パスワード８２は英文字と数字とから成る１２桁のパスワードである。これ等の３種のパスワード８０，８１，８２を生成するようにパスワード生成部７１で設定されている。これ等は候補であってユーザーには所要のパスワードをすぐさま選択してもらうことができる。例えば８桁のパスワード８１が希望であればこれにタッチして選択しその下に表示されている登録ボタン８３を押す。なおこの何れも気に入らないようであればやり直しボタン８４を押すことで、パスワード生成部７１が再度パスワードの生成を行なうように設定されている。なおこの他にもパスワード入力窓８５とメモ入力窓８７とを表示し、および登録ボタン８６，８８を表示し、パスワードをユーザーが自作できるようにしたり、写真８を撮影した時の状況が想起されやすいようにメモが書き込めるようにしている。このメモ入力窓８０にはＵＲＬ（Ｕｎｉｆｏｒｍ  Ｒｅｓｏｕｒｃｅ  Ｌｏｃａｔｏｒ）等を自由に記入してよい。このパスワード入力窓８５やメモ入力窓８７への書き込みについては、写真８の下端部に表示されているメニューバー８９の手書���入力スイッチ８００を押すと写真８に重ねて表示されるソフトキーボードを用いる（図示せず）。いずれの登録ボタン８３，８６，８８が押されても写真８と選択または書き込まれたパスワードとをレコードとして記憶部７２に記録する。このレコードには上述したメモのフィールドが設けられている。なお写真８の撮り直しに付いては、いずれかの登録ボタン８３，８６，８８を押すまでに再度シャッター７７を押すようにする。【００６２】  この実施例のカード型パスワード管理装置７はＲＦＩＤ／ＩＣカードであり、リーダに対して非接触でパスワードを送信することができる。図２３はこの際の実施手順を表わすフローチャートである。制御部７０は通信部７３を介してリーダ側からの検出用電磁波を受信待機しているが（ステップＳ３０）、カード型パスワード管理装置７をリーダにかざすとリーダ側からの検出用電磁波をループアンテナ７４で受信して（ステップＳ３１）、リーダへＩＤ（ＩＤｅｎｔｉｆｉｃａｔｉｏｎ）を送信する（ステップＳ３２）。これにより認証されたらハンドオーバーにより他の無線規格でお互いに接続し直す。続いてパスワードの送信命令の受信待機を経て（ステップＳ３３）、この命令を受信したら（ステップＳ３４）、ユーザーによって予め選択されたパスワードをリーダへ送信する（ステップＳ３５）。ここでユーザーによって予め選択されたパスワードとは図２２の写真とパスワードの登録時のものではなく、いま送信用として選択されているパスワードのことである。すなわち図示しない写真のサムネイル表示画面でユーザー所望の写真のサムネイルが選択されると、制御部７０が該当するレコードを読み出して、タッチパネルディスプレイ７６上に写真とパスワードと、メモがあればこのメモとを表示する。写真とパスワードとがセットになっているため、いま正に利用しようとしている錠のパスワードであることが一目で了解されるのはこの発明ならではの特長である。この後は上述した実施例１では例えばテンキーによってパスワードを手入力するところ、この実施例６ではパスワードを無線で送信することになる。従ってどんなに複雑なパスワードでもユーザーには苦労がない。
【実施例７】
【００６３】  この実施例のパスワード管理装置はデジタルカメラ９をそのまま活用したものである。各種のファンクションキーの操作部９５と液晶画面の表示部９４とはデジタルカメラ９の背面に露出して設けられておりまた前面には撮影部９０が設けられている。またデジタルカメラ９の内部にはデジタルカメラとして機能させるための制御ソフトウェアなどが記録された記憶部９３、およびこれ等を制御するＣＰＵ（Ｃｅｎｔｒａｌ  Ｐｒｏｃｅｓｓｉｎｇ  Ｕｎｉｔ）を中心とした制御部９１が納められている。また前記記憶部９３にはパスワード管理プログラムがインストールされているが、このパスワード管理プログラムはパスワードを乱数を発生させることにより生成し、撮影部９０で写真を撮影し、前記パスワードとこれが何に付いてのパスワードであるかを想起させるための前記写真とを関連付けて記憶部９３に記録し、またこの情報を表示部９４に出力する、と言う各ステップから成るパスワード管理方法を制御部９１に実行させるものであり、前記記憶部９３にインストールされている。従ってパスワード生成部９２はソフトウェア的に制御部９１内に形成される（図２４）。【００６４】  デジタルカメラは正しくカメラである。また一種のコンピュータであるから乱数を発生してパスワードを生成したり、このパスワードと写真とを紐付けて保存したり、このパスワードを表示機能を利用して関連する写真と共に表示すると言う、この発明のパスワード管理装置を構成するには全く好適なデバイスである。【００６５】  なおこの発明は上述した実施例に限定されるものではない。例えばパスワードの生成に付いては設定画面を設けて、ここで文字種や文字数を予め設定できるようにしてもよい。あるいは長くて複雑なパスワードを生成した後で、これを編集できるようにしてもよい。例えば後からドロップダウンメニューなどで文字数を選択させて、長いパスワードを切り詰めるようにすることができる。また例えば８文字のパスワードの前半分の４文字分だけマスキングを施して後半分の４文字分を表示するようにすることも可能である。また数字英文字で混成されたパスワードの英文字のみにマスキングを施して数字のみのパスワードにすることもできる。【００６６】  写真を撮影してパスワードを生成したまま放置しており、しかしパスワードは既に利用してしまったと言うような場合に備えて、ユーザーが写真とパスワードを意図的に登録しなくても自動的に記録してしまうような設計も可能である。また後から写真やパスワードの編集ができるように設計してもよい。一度生成したパスワードを保留したままで写真の撮り直しができるようにしてもよい。また一定期間表示しない写真とパスワードに付いては、ユーザーに対し消去の可否を問う通知を行なうようにすることができる。また消去したものを復活できるような仕組みを設けてもよい。【００６７】  写真とパスワードとを最初から表示せずに、パスワードを思い出すことができるような語呂合わせのヒントと写真を先ず表示するような設定も可能である。またこの発明のパスワード管理装置を紛失したような場合に備えて、無線でこのパスワード管理装置にロックを掛け得るように設計することも可能である。なお許可した人との間���情報を共有することができるように、例えば所要のパスワードとイメージの組を電子メールで送信するように設計することも可能である。【００６８】  上述の特開２００２−２７８９２９号公報の内容をこの発明のパスワード管理システムに取り込んだものとすることが可能である。例えば特開２００２−２７８９２９号公報の図１０に於いてワンタイムパスワード管理サーバとウェブサーバとの組にイメージを割り当てておき、携帯端末側でこのイメージが選択されたら携帯端末はこのイメージに対応するワンタイムパスワード管理サーバにワンタイムパスワードを生成するためのワンタイムパスワード生成モジュールの作成を要求すると言うものである。なお携帯端末は後に前記イメージに対応するウェブサーバから前記ワンタイムパスワード生成モジュールをダウンロードすることになる。なお複数の前記イメージをサムネイル画像などとして選択可能に提示する、すなわち複数のワンタイムパスワード管理サーバの中から任意の一をイメージを用いて選択可能に提示するように構成することができる。
【産業上の利用可能性】
【００６９】  近年カメラ付き携帯電話機では動画の撮影を行なうことができるようになり、またこれに併せて内蔵メモリの容量も増大している。従って写真ではなく動画と、パスワードの組を記録するパスワード管理装置を提供することが可能である。また携帯用として開発された音楽再生機やラジオやテレビの表示機能を利用すると共に、デジタルカメラを追加することによってもこの発明のパスワード管理装置を構成することができる。またカメラ付きの腕時計でこの発明のパスワード管理装置を実現することが可能である。またこの発明は他のソフトウェア例えばアルバムソフトウェアと連係させる設計が可能である。アルバムソフトウェアで撮影した写真はアルバムに張り込まれるが、ここからパスワードの生成・登録へと連係させることができる。
【図面の簡単な説明】
【００７０】
【図１】実施例１のカメラ付き携帯電話機のブロック図である。
【図２】チェック画面の説明図である。
【図３】実施手順を示したフローチャートである。
【図４】表示画面の説明図である。
【図５】実施例２のカメラ付き携帯電話機のブロック図である。
【図６】写真一覧画面の説明図である。
【図７】チェック画面の説明図である。
【図８】パスワード表示画面の説明図である。
【図９】実施手順を示したフローチャートである。
【図１０】実施手順を示したフローチャートである。
【図１１】実施例３のカメラ付き携帯電話機のブロック図である。
【図１２】ＷＷＷ表示画面の説明図である。
【図１３】実施手順を示したフローチャートである。
【図１４】写真撮影画面の説明図である。
【図１５】実施例４のパスワード管理システムのブロック図である。
【図１６】実施手順を示したフローチャートである。
【図１７】パスワードテーブルの模式図である。
【図１８】実施手順を示したフローチャートである。
【図１９】実施例５のパスワード管理システムのブロック図である。
【図２０】実施手順を示したフローチャートである。
【図２１】実施例６のカード型パスワード管理装置のブロック図である。
【図２２】チェック画面の説明図である。
【図２３】実施手順を示したフローチャートである。
【図２４】実施例７のデジタルカメラのブロック図である。
【符号の説明】
【００７１】１    携帯電話機
１０  制御部
１１  パスワード生成部
１２  記憶部
１３  通信部
１４  撮影部
１５  表示部
１６  操作部
２    チェック画面
２０  写真
２１  パスワード
２２  パスワード作成時間
２３  ＯＫボタン
２４  ＮＧボタン
２５  表示画面
２６  カメラボタン
２７  消去ボタン
３    携帯電話機
３０  制御部
３１  パスワード生成部
３２  記憶部
３３  通信部
３４  撮影部
３５  表示部
３６  操作部
３７  画面キャプチャ部
３８  ＷＷＷブラウザ部
３９  第２撮影部
４    写真一覧画面
４０  コマ
４１  空きコマ
４２  写真のサムネイル
４３  カメラボタン
４４  終了ボタン
４５  設定ボタン
４６  チェック画面
４７  写真
４８  編集窓
４９  編集窓
４００編集窓
４０１  パスワード
４０２  パスワード作成時間
４０３  ＯＫボタン
４０４  ＮＧボタン
４０５  表示画面
４０６  戻るボタン
４０７  消去ボタン
４０８  写真撮影画面
４０９  写真表示画面
４１０  ユーザー写真
４１１  撮影ボタン
４１２  照明ボタン
４１３  機能ボタン
５    ＷＷＷ表示画面
５０  機能メニュー
５１  スクリーンショットメニュー
５２  起動メニュー
５３  選択ボタン
５４  閉じるボタン
５５  パスワードテーブル
５６  登録番号
５７  画像名
５８  パスワード
５９  パスワード
５００  メモ
６    携帯電話
６０  電話局
６１  記憶部
６２  基地局
６３  制御・認証部
６４  イラストライブラリ
６５  パスワード生成部
６６  乱数表
７    カード型パスワード管理装置
７０  制御部
７１  パスワード生成部
７２  記憶部
７３  通信部
７４  ループアンテナ
７５  撮影部
７６  タッチパネルディスプレイ
７７  シャッター
７８  電源スイッチ
７９  ミラー
８    写真
８０  パスワード
８１  パスワード
８２  パスワード
８３  登録ボタン
８４  やり直しボタン
８５  パスワード入力窓
８６  登録ボタン
８７  メモ入力窓
８８  登録ボタン
８９  メニューバー
８００  手書き入力スイッチ
９    デジタルカメラ
９０  撮影部
９１  制御部
９２  パスワード生成部
９３  記憶部
９４  表示部
９５  操作部
【図１】
2006344205.tif 000003
【図２】
2006344205.tif 000004
【図３】
2006344205.tif 000005
【図４】
2006344205.tif 000006
【図５】
2006344205.tif 000007
【図６】
2006344205.tif 000008
【図７】
2006344205.tif 000009
【図８】
2006344205.tif 000010
【図９】
2006344205.tif 000011
【図１０】
2006344205.tif 000012
【図１１】
2006344205.tif 000013
【図１２】
2006344205.tif 000014
【図１３】
2006344205.tif 000015
【図１４】
2006344205.tif 000016
【図１５】
2006344205.tif 000017
【図１６】
2006344205.tif 000018
【図１７】
2006344205.tif 000019
【図１８】
2006344205.tif 000020
【図１９】
2006344205.tif 000021
【図２０】
2006344205.tif 000022
【図２１】
2006344205.tif 000023
【図２２】
2006344205.tif 000024
【図２３】
2006344205.tif 000025
【図２４】
2006344205.tif 000026